(57)【要約】【課題】本発明の目的は、ＲＦタグの読み取りにおいて金属体が磁界に与える影響を低減するためＲＦタグの読み取り窓を最適な形状にして読み取り率の向上と隣接するＲＦタグの誤読防止をなくす検体処理システムを提供することにある。【解決手段】本発明の構成は、金属体の切り欠きとしてＲＦタグの読み取り窓の大きさを最適形状にすることにより隣接するＲＦタグが金属体で遮蔽されることにより実現できる。これにより、金属体の影響を受けずに磁界が確実にＲＦタグに到達するため読み取りが可能になる。また、隣接するＲＦタグについては金属体が磁界を遮蔽するため確実に誤読を防止することができる。【選択図】  図９
2011075360.tif 000002
【特許請求の範囲】
【請求項１】
ＲＦタグの読み取り動作においてＲＦＩＤのアンテナが金属体の影響を受けない構造を特徴とする検体処理システム。
【請求項２】
特許請求項１項記載の検体処理システムにおいて、
ＲＦタグの読み取りのアンテナの周囲を囲む金属体の１辺を他３辺より大きく切り欠いたことを特徴とする検体処理システム。
【請求項３】
特許請求項１項記載の検体処理システムにおいて、
隣接するＲＦタグの誤読防止として読み取り位置以外のＲＦタグ付近に金属体を使用することを特徴とする検体処理システム。
【請求項４】
特許請求項３項記載の検体処理システムにおいて、
ＲＦタグの読み取り位置を決めるのにストッパ機構を使用することを特徴とする検体処理システム。
【発明の詳細な説明】
【技術分野】
【０００１】
本発明は、ＲＦタグの読み取り窓の構造を最適形状にしてＲＦタグの誤読防止をする検体処理システムに関する。
【背景技術】
【０００２】
検体搬送用の検体容器にＲＦタグを取り付けて搬送する場合、ＲＦタグとＲＦリーダとの間に金属体があると磁界が遮られ読み取りができない。そこで、ＲＦタグとＲＦリーダ間の金属体に読み取り用の窓を開けて読み取りできるようにするが、読み取り用の窓が小さいと金属体に磁界が吸収されＲＦタグに磁束が届かず読み取りができない。一般的に金属体の影響を受けないように金属体を離すか電磁吸収材などのシートを金属体に貼り付けて影響を受けないようにすることがある。また、同時に読み取り用の窓を大きくすると隣接する検体容器のＲＦタグも読み取りをしてしまうため誤読などの恐れがありその後の処理に影響をあたえることになり、最適な形状が必要となる。ＲＦタグの読み取りについては、例えば特許文献１に記載されたものが知られている。
【先行技術文献】
【特許文献】
【０００３】
【特許文献１】特開２００５−３０８５５号公報
【発明の概要】
【発明が解決しようとする課題】
【０００４】
特許文献１記載の技術では、ＲＦタグの読み取り位置についての記載はあるが、読み取りに対する金属体や隣接するＲＦタグへの影響については記載されていない。本発明の目的はＲＦタグとＲＦリーダ間にある金属体がＲＦタグの読み取りや隣接するＲＦタグに影響を与えない最適な形状を提供することを目的とする。
【課題を解決するための手段】
【０００５】
本発明の構成は、ＲＦタグの読み取り窓をＲＦタグの大きさに対して四角形の三辺はＲＦタグの形状と同じで、残りの一辺についてはＲＦタグより大きく取ることにより実現できる。具体的には隣接するＲＦタグのある方向には形状と同じで、この方向と直行する方向に大きく取るとより効果がある。また、隣接するＲＦタグの読み取りの影響についても金属体の遮蔽効果を利用することで誤読防止の効果がある。
【発明の効果】
【０００６】
以上説明したように、ＲＦタグとＲＦリーダ間の磁界が確実に発生するため読み取りが可能になる。また、隣接する方向は金属体で遮蔽できるため対象外のＲＦタグの読み取りを防止することができる。
【図面の簡単な説明】
【０００７】
【図１】本発明の一実施例を示す模式図である。
【図２】本発明の一実施例を示す模式図である。
【図３】本発明の一実施例を示す表である。
【図４】本発明の一実施例を示す模式図である。
【図５】本発明の一実施例を示す模式図である。
【図６】本発明の一実施例を示す模式図である。
【図７】本発明の一実施例を示す模式図である。
【図８】本発明の一実施例を示す模式図である。
【図９】本発明の一実施例を示す模式図である。
【発明を実施するための形態】
【０００８】
以下、本発明の模式図を図１に示す。
【０００９】
図１はアンテナ１が金属材２に４辺を囲まれた図でアンテナ１と金属体２には隙間３が存在している。このときＲＦタグ４の読み取り動作をすると金属体２の影響により読み取り不可や読み取り距離５への影響がある。図２は金属材２の１辺を取り除いた図で図３にＲＦタグ４のサンプルＡとサンプルＢの読み取り動作においてアンテナ１の４辺を囲む金属材２の数により読み取り動作時に読み取り距離５の影響を示す。アンテナ１の４辺を金属体２で囲まれ、アンテナ１と金属体２の隙間３が１mmのときはサンプルＡのＲＦタグ４の読み取り距離５は０mmで読み取り動作不可、サンプルＢのＲＦタグ４は１３mmとなる。図２の状態で同様にＲＦタグの読み取り動作を行うとサンプルＡのＲＦタグ４の読み取り距離５は２８mm、サンプルＢのＲＦタグ４の読み取り距離５は３９mmと金属体２の影響を受けなくなる。同様にアンテナ１に対する金属体２の囲みを２辺、なしとしたときのＲＦタグ４の読み取り距離５はサンプルＡのＲＦタグ４が２８mm、サンプルＢのＲＦタグ４が３９mmと３辺を金属体２で囲まれているときと読み取り距離５が同じとなり、４辺を囲む１辺を取り除くことにより金属体２の影響を完全に受けなくなる。
【００１０】
図４に実施例を示す。金属体２にアンテナ１の読み取り窓を設け、搬送用のベルト１０（非金属体）上を搬送容器１１内に実装されているＲＦタグ４の読み取り動作をする。このときに金属体２の影響を受けないように図５に示すようにアンテナ１が囲まれている４辺の中の１辺を切り欠くことで金属体２の影響を受けずにＲＦタグ４の読み取りを行うことができる。また、切り欠く１辺は搬送方向と直行する方向にすると検体容器４が隣接した場合に効果的である。図６に隣接するＲＦタグの読み取り防止について示す。搬送容器１１が隣接する場合、ＲＦタグ４を読み取り動作するときに、読み取り対象以外のＲＦタグ４０を読み取ると読み取りエラーや誤読などが発生しその後の処理に支障をきたす。金属体２の読み取り窓を最適な大きさにすることにより読み取り対象のＲＦタグ４のみを読み取り、読み取り対象外のＲＦタグ４０は金属体２に遮蔽されるため読み取りができないので読み取りエラーや誤読防止ができる。図７に示すように読み取り窓が大きいときはアンテナ１の付近に金属体２１を取り付けることにより隣接するＲＦタグ４０の読み取りを防止することも可能である。また、図８に示すようにアンテナ１に角度をつけることにより金属体２１などの取り付けが不可能な構造の場合でも同様なＲＦタグ４０の読み取り防止の効果が得られる。図９に示すように読み取りの位置決め用のストッパ３０と搬送待機用のストッパ３１を取り付けることによりＲＦタグ４の読み取り位置が固定されるので、確実にＲＦタグ４０の読み取りは防止できる。この場合、アンテナ１の読み取り窓の大きさはストッパ３０とストッパ３１の距離以内であれば問題ない。また、ストッパ３０とストッパ３１を交互に制御することで読み取り位置への搬送が可能になる。
【符号の説明】
【００１１】
１  アンテナ
２  金属材
３  隙間
４，４０  ＲＦタグ
５  読み取り距離
１０  ベルト
１１  搬送容器
２１  金属体
３０  位置決めストッパ
３１  待機ストッパ
【図１】
2011075360.tif 000003
【図２】
2011075360.tif 000004
【図３】
2011075360.tif 000005
【図４】
2011075360.tif 000006
【図５】
2011075360.tif 000007
【図６】
2011075360.tif 000008
【図７】
2011075360.tif 000009
【図８】
2011075360.tif 000010
【図９】
2011075360.tif 000011